(57)【要約】【課題】補助記憶装置と、外部記憶装置とのそれぞれにコンテンツを記録している場合に、ユーザによるコンテンツの管理を補助する録画装置を提供する。【解決手段】外部記憶装置から、外部記憶装置に記録されているコンテンツを識別するための第１の情報をコントローラを通じて読み出し、第１の情報と、外部記憶装置とを特定するための第２の情報と、を関連づける関連情報を作成する関連付け手段と、補助記憶装置に記録されているコンテンツが削除される際、削除対象のコンテンツが関連情報に記録されているコンテンツに関連するか否かを判定する判定手段と、削除対象のコンテンツが関連情報に記録されているコンテンツであれば、通知を行う通知手段と、を有する。【選択図】図３
2015226124.tif 000002
【特許請求の範囲】
【請求項１】
外部記憶装置と、補助記憶装置とのいずれにコンテンツを録画する録画装置であって、
接続した前記外部記憶装置にアクセスするコントローラと、
前記外部記憶装置から、前記外部記憶装置に記録されているコンテンツを識別するための第１の情報を前記コントローラを通じて読み出し、前記第１の情報と、前記外部記憶装置とを特定するための第２の情報と、を関連づける関連情報を作成する関連付け手段と、
前記補助記憶装置に記録されているコンテンツが削除される際、削除対象の前記コンテンツが前記関連情報に記録されているコンテンツに関連するか否かを判定する判定手段と、
削除対象の前記コンテンツが前記関連情報に記録されているコンテンツであれば、通知を行う通知手段と、を有することを特徴とする録画装置。
【請求項２】
前記関連付け手段は、前記第１の情報として、前記コンテンツのタイトル名を前記第２の情報に関連づける、ことを特徴とする請求項１に記載の録画装置。
【請求項３】
前記関連付け手段は、前記第１の情報として、前記コンテンツの出演者を前記第２の情報に関連づける、ことを特徴とする請求項１に記載の録画装置。
【請求項４】
前記関連付け手段は、前記第１の情報として、前記コンテンツのジャンルを前記第２の情報に関連づける、ことを特徴とする請求項１に記載の録画装置。
【請求項５】
録画予約により設定された条件に該当するコンテンツを、前記補助記憶装置の割り当てられた領域の先頭から終端の順に、繰り返し録画する録画手段を有し、
前記判定手段は、前記割り当てられた領域の記録可能容量が閾値以下となった場合に、前記割り当てられた領域の先頭に記録されているコンテンツを削除対象のコンテンツとして判定する、ことを特徴とする請求項１から請求項４のいずれか一項に記載の録画装置。
【請求項６】
前記判定手段は、削除対象のコンテンツの指定を受付けると、指定されたコンテンツを削除対象のコンテンツとして判定する、ことを特徴とする請求項１から請求項４のいずれか一項に記載の録画装置。
【請求項７】
前記外部記憶装置と前記コントローラを通じて接続する際、前記関連情報を更新する更新手段を、有する、ことを特徴とする請求項１から請求項６のいずれか一項に記載の録画装置。
【発明の詳細な説明】
【技術分野】
【０００１】
本発明は、コンテンツを録画する録画装置において、特に外部記憶装置と接続する録画装置に関する。
【背景技術】
【０００２】
テレビジョン放送を受信して番組を録画する録画装置では、ＨＤＤやフラッシュメモリといった番組を録画するための補助記憶装置を備えている。また、補助記憶装置とは、別に、外部記憶装置と接続することができる録画装置も知られている。
【０００３】
例えば、特許文献１には、外部記憶装置と接続する録画装置において、複数の外部記憶装置に録画された番組（コンテンツ）を装置内部で一括して管理することができるものが開示されている（例えば、特許文献１参照）。
【先行技術文献】
【特許文献】
【０００４】
【特許文献１】特開２００６−２９５５１５号公報
【発明の概要】
【発明が解決しようとする課題】
【０００５】
録画装置の内部に実装された補助記憶装置と、外部記憶装置とに、関連するコンテンツを記録している場合、ユーザは、コンテンツがどの記憶装置に記録されているか管理しておく必要がある。特に、補助記憶装置と外部記憶装置とに関連するコンテンツを記録している場合、補助記憶装置に記録されたコンテンツを削除してしまうと、ユーザが後で補助記憶装置と外部記憶装置とに記録された関連するコンテンツを視聴したいと考えた際に、コンテンツが削除されていることは望ましくない。
【０００６】
本発明は、上記課題にかんがみてなされたもので、補助記憶装置と、外部記憶装置とのそれぞれに関連するコンテンツを記録している場合に、ユーザによるコンテンツの管理を補助する録画装置の提供を目的とする。
【課題を解決するための手段】
【０００７】
・適用例１
上記課題を解決するために、本発明の一態様では、外部記憶装置と、補助記憶装置とのいずれにコンテンツを録画する録画装置であって、接続した前記外部記憶装置にアクセスするコントローラと、前記外部記憶装置から、前記外部記憶装置に記録されているコンテンツを識別するための第１の情報を前記コントローラを通じて読み出し、前記第１の情報と、前記外部記憶装置とを特定するための第２の情報と、を関連づける関連情報を作成する関連付け手段と、前記補助記憶装置に記録されているコンテンツが削除される際、削除対象の前記コンテンツが前記関連情報に記録されているコンテンツに関連するか否かを判定する判定手段と、削除対象の前記コンテンツが前記関連情報に記録されているコンテンツであれば、通知を行う通知手段と、を有する。
【０００８】
上記のように構成された発明では、録画装置は、外部記憶装置と接続した際に、この外部記憶装置から記録されているコンテンツを識別するための第１の情報を、コントローラを通じて読み出す。そして、録画装置は、読み出した第１の情報と、外部記憶装置とを特定するための第２の情報と、を関連づける。さらに、録画装置は、補助記憶装置に記録されているコンテンツが削除される際、削除対象のコンテンツが関連情報に記録されているコンテンツに関連するか否かを判定し、削除対象のコンテンツが関連情報に記録されていると判定すると、ユーザに対して通知を行う。
すなわち、補助記憶装置と、外部記憶装置とに関連するコンテンツが別々に記録されている場合でも、補助記憶装置に記録されたコンテンツを削除する際、外部記憶装置に関連するコンテンツが記録されていることをユーザに通知することができる。そのため、ユーザは、通知に応じて補助記憶装置に記録されたコンテンツの削除またはダビング等を行うことができる。
また、録画装置は、外部記憶装置と接続した際に、第１の情報と第２の情報とを関連づける関連情報を作成するため、録画装置が記録をしていないコンテンツであっても、関連付けを行うことができる。
【０００９】
・適用例２
本発明の一態様では、関連付け手段は、前記第１の情報として、前記コンテンツのタイトル名を前記第２の情報に関連づける。
上記のように構成された発明では、ユーザは、タイトル名をもとにコンテンツを関連付けることができるため、シリーズ番組等同じタイトル名を有するコンテンツを補助記憶装置と外部記憶装置とに記憶している場合に、本発明を適用することができる。
【００１０】
・適用例３
本発明の一態様では、関連付け手段は、前記第１の情報として、前記コンテンツの出演者を前記第２の情報に関連づける。
上記のように構成された発明では、出演者をもとにコンテンツを関連付けることができるため、出演者が同じコンテンツを補助記憶装置と外部記憶装置とに記憶している場合に、本発明を適用することができる。
【００１１】
・適用例４
本発明の一態様では、関連付け手段は、前記第１の情報として、前記コンテンツのジャンルを前記第２の情報に関連づける。
上記のように構成された発明では、ジャンルをもとにコンテンツを関連付けることができるため、ジャンルが同じ補助記憶装置と外部記憶装置とに記憶している場合に、本発明を適用することができる。
【００１２】
・適用例５
本発明の一態様では、録画予約により設定された条件に該当するコンテンツを、前記補助記憶装置の割り当てられた領域の先頭から終端の順に、繰り返し録画する録画手段を有し、前記判定手段は、前記割り当てられた領域の記録可能容量が閾値以下となった場合に、前記割り当てられた領域の先頭に記録されているコンテンツを削除対象のコンテンツとして判定する。
上記のように構成された発明では、録画装置が自動でコンテンツが削除されてしまう録画機能を備える場合でも、録画装置が削除対象となるコンテンツの判断を容易に行うことが可能となる。
【００１３】
・適用例６
本発明の一態様では、前記判定手段は、削除対象のコンテンツの指定を受付けると、指定されたコンテンツを削除対象のコンテンツとして判定する。
上記のように構成された発明では、ユーザの手動操作によるコンテンツの削除に対しても、本発明を適用することができる。
【００１４】
・適用例７
本発明の一態様では、前記外部記憶装置と前記コントローラを通じて接続する際、前記関連情報を更新する更新手段を、有する。
上記のように構成された発明では、関連情報を更新する機能を備えることで、外部記憶装置が記録するコンテンツの内容が変更されても、変更が反映されるため、精度良く本発明を適用することができる。
【図面の簡単な説明】
【００１５】
【図１】録画装置１０の外観を示す外観図。
【図２】録画装置１０のハードウェア構成を示すブロック構成図。
【図３】録画装置１０の機能を示す機能ブロック図。
【図４】録画手段３１により制御されるループ録画を説明する図。
【図５】管理テーブル４０を説明する図。
【図６】システムコントローラ３０が実行する関連付けテーブルの作成方法を説明するフローチャート。
【図７】一例として、関連付け手段３２により作成される関連付けテーブルを示す図。
【図８】システムコントローラ３０が実行する判定処理を説明するフローチャート。
【図９】表示部２１に表示される通知画面２００を示す図。
【図１０】通知処理を説明するフローチャート。
【図１１】ユーザが消去する番組を選択するための選択画面３００を示す図。
【図１２】第２の実施形態において、システムコントローラ３０が実行する通知処理を説明するフローチャート。
【図１３】表示装置５０に表示される通知画面２００を示す図。
【図１４】システムコントローラ３０により実行される関連付けテーブル１００の更新処理を示すフローチャート。
【発明を実施するための形態】
【００１６】
以下、下記の順序に従って本発明の実施形態を説明する。
１．第１の実施形態：
（１）録画装置の構成
（２）コンテンツ管理方法
２．第２の実施形態：
３．第３の実施形態：
４．その他の実施形態：
【００１７】
１．第１の実施形態：
（１）録画装置の構成 
図１は、録画装置１０の外観を示す外観図である。
録画装置１０は、図１では図示しないアンテナに接続されており、このアンテナが受信したテレビジョン放送から所望のＴＳパケットを抽出し番組の録画を行う。また、録画装置１０は、外部記憶装置としてのＵＳＢ−ＨＤＤ６０と着脱可能に接続している。録画装置１０とＵＳＢ−ＨＤＤ６０は、ＵＳＢ（Universal Serial Bus）のプロトコルに従って、データの転送を行うことができる。さらに、録画装置１０は、テレビジョン受像機等の表示装置５０と接続しており、録画された番組を表示装置５０に出力することができる。また、録画装置１０は、録画機能として、通常録画、おまかせ録画、ループ録画の各録画機能を備えている。
【００１８】
図２は、録画装置１０のハードウェア構成を示すブロック構成図である。
図２に示す録画装置１０は、チューナー部１１、エンコーダー１２、デコーダー１３、ビデオメモリ１４、ＡＶコンバーター１５、メモリコントローラ１６、ＨＤＤ１７、ＵＳＢコントローラ１８、システムコントローラ３０、ＧＵＩ合成部１９、バス２０、表示部２１、リモコン受信部２２と、を有している。
【００１９】
チューナー部１１は、アンテナが受信したテレビジョン放送から所望のチャンネルに対応する番組のデータ（番組データ）を抽出する。また、図２ではチューナー部１１は、複数のチューナー＃１〜＃Ｎを備えている。ここで、チューナー＃１は、通常録画、おまかせ録画に用いられる。また、チューナー＃２〜チューナー＃Ｎはループ録画に用いられる。
なお、図２では、通常録画、および、おまかせ録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２０】
チューナー部１１の出力側には、エンコーダー１２が接続されている。エンコーダー１２は、チューナー＃１〜＃Ｎから出力されるＴＳパケット化された放送信号をＨＤＤ１７や、ＵＳＢ−ＨＤＤ６０のフォーマットに応じて変換する。以下、記録用メモリに記録（録画）された番組を録画データ、録画番組とも記載する。また、エンコーダー１２は、入力された放送信号からＳＤＴ（Service Description Table）やＥＩＴ（Event Information Table）を分離する。
【００２１】
メモリコントローラ１６は、バス２０を介してＨＤＤ１７に接続されており、エンコーダー１２がエンコードした番組データをＨＤＤ１７に録画する。また、ＨＤＤ１７に録画した番組データを再生する場合、メモリコントローラ１６は、ＨＤＤ１７から対象とする番組データを読みだし、ビデオメモリ１４に出力する。
【００２２】
また、メモリコントローラ１６は、システムコントローラ３０による制御により、ループ録画時における番組データの録画や、通常録画における番組データの録画を制御することができる。なお、ループ録画については、後述する。
【００２３】
ＵＳＢコントローラ１８は、ＵＳＢ接続されたＵＳＢ−ＨＤＤ６０に対してデータ（番組データ）の書き込みや、データの読み出しを行う。ＵＳＢコントローラ１８は、ＵＳＢ−ＨＤＤ６０が搭載するＵＳＢコントローラ６１に対してホストして機能する。
【００２４】
この第１の実施形態では、ＵＳＢ−ＨＤＤ６０は、ＵＳＢコントローラ６１と、磁気記録部６２とを有している。ＵＳＢコントローラ６１は、録画装置１０のＵＳＢコントローラ１８をホストする、ＵＳＢ規格に対応した通信を行う。
【００２５】
デコーダー１３は、ビデオメモリ１４に読み出された番組データを所定のフォーマットや、画質に変換する。
【００２６】
ＧＵＩ合成部１９は、表示装置５０に表示する設定画面等のユーザインタフェースの元となるデータを生成し、ビデオメモリ１４に展開する。
【００２７】
ＡＶコンバーター１５は、表示装置５０と有線または無線を通じて接続しており、ビデオメモリ１４に展開された番組データを表示装置５０に出力する。
【００２８】
システムコントローラ３０は、録画装置１０を構成するハードウェアの動作を統合的に制御する。システムコントローラ３０は、図示しない、ＣＰＵ、ＲＯＭ、ＲＡＭ、割込みコントローラ、タイマー、Ｉ／ＯＩＦを備えて構成され、ＲＯＭに記録されたプログラムをＲＡＭ上に展開して実行することで、各種の機能を実現することができる。また、システムコントローラ３０は、所定の文字列やアイコンを表示する表示部２１や、リモコン装置から送信されるコマンドを受信するリモコン受信部２２と、接続している。
【００２９】
図３は、録画装置１０の機能を示す機能ブロック図である。図３に示すシステムコントローラ３０は、録画手段３１、関連付け手段３２、判定手段３３、通知手段３４と、を機能的に備える。
【００３０】
録画手段３１は、チューナー部１１が受信した番組データをＨＤＤ１７またはＵＳＢ−ＨＤＤ６０に録画する際の制御を行う。この第１の実施形態では、録画手段３１は、メモリコントローラ１６やＵＳＢコントローラ１８を制御することで常時録画、やループ録画を行う。
図４は、録画手段３１により制御されるループ録画を説明する図である。
録画手段３１により制御されるループ録画では、チューナー＃２〜＃Ｎにより受信された番組データを、ＨＤＤ１７のループ録画用の記録領域（ループ記録領域とも記載する）にそれぞれ記録していく。ループ記録領域には、チャンネル毎に、記録先のセクタ（１７♯１〜１７＃Ｍ）が割当てられている。図４では、チューナー＃Ｎには、セクタ１７＃Ｍが割り当てられている。そして、メモリコントローラ１６は、チューナー＃Ｎが受信したあるチャンネルの番組データを、ループ記録領域のセクタ１７＃Ｍの先頭アドレスから順に記録していく。図４では、セクタ１７＃Ｍには、番組データ＃１〜番組データ＃Ｌが記録されている。そして、セクタ１７＃Ｍの番組データの記録先が終端まで達すると、メモリコントローラ１６は、セクタ１７＃Ｍの先頭に戻り、番組データ（図４では、番組データ♯Ｌ＋１）を録画する。このとき、セクタの先頭に記録されている番組データ（図４では、番組データ♯１）は、消去される。そのため、ループ記録領域に記録される番組データデータは、永続的に記録されない。
【００３１】
また、録画手段３１は、番組データを録画するごとに、管理テーブルを作成する。管理テーブル４０には、ＨＤＤ１７に記録された番組データの位置（図４に示すセクタの位置）が関連づけられている。そのため、システムコントローラ３０は、管理テーブル４０を、参照することで、ＨＤＤ１７に録画された番組データの種別や、記録された位置を参照することができる。
図５は、管理テーブル４０を説明する図である。図５に示す管理テーブル４０には、番組データを管理するための管理ＩＤに関連づけて、コンテンツ情報が記録されている。図５に示す、コンテンツ情報は、『番組タイトル』、『放送日時』、番組が放送されるチャンネルの『チャンネル番号』、『放送開始時刻』、『番組長さ』、番組の内容を示す『番組内容』等を含んでいる。また、『番組内容』には、出演者の情報や、番組のジャンルを示す情報が記録されている。コンテンツ情報は、エンコーダー１２により分離されたＳＩをもとに取得される。この第１の実施形態では、管理テーブル４０は、ＨＤＤ１７に記録されるが、これ以外の場所に記録されるものであってもよい。
【００３２】
関連付け手段３２は、ＵＳＢ−ＨＤＤ６０と接続した際、ＵＳＢ−ＨＤＤ６０に記録されているコンテンツを識別するためのコンテンツ情報（第１の情報）をＵＳＢコントローラ１８を通じて読み出し、コンテンツ情報と、ＵＳＢ−ＨＤＤ６０とを特定するための第２の情報と、を関連づける関連情報を作成する。
ここで、コンテンツ情報は、コンテンツを特定するために用いられる情報であり、この第１の実施形態では、ＳＩに含まれる『番組タイトル』、『出演者』、『番組ジャンル』である。
【００３３】
判定手段３３は、ＵＳＢ−ＨＤＤ６０に記録されている番組データ（コンテンツ）が削除される際、削除対象のコンテンツが関連情報に記録されているコンテンツに関連するか否かを判定する。
【００３４】
通知手段３４は、削除対象のコンテンツが関連情報に記録されているコンテンツに関連する場合、通知を行う。例えば、通知手段３４は、表示部２１や、表示装置５０に、通知画面を表示させる。
【００３５】
（２）コンテンツ管理方法
録画装置１０が行うコンテンツ管理方法について説明する。
まず、関連付け手段３２により行われる関連情報（関連付けテーブル）の作成について説明する。この第１の実施形態では、関連付けテーブルは、録画装置１０にＵＳＢ−ＨＤＤが接続された際に実行される。また、ＵＳＢ−ＨＤＤ６０には、すでにコンテンツがダビングされているものとする。
図６は、システムコントローラ３０が実行する関連付けテーブルの作成方法を説明するフローチャートである。また、図７は、一例として、関連付け手段３２により作成される関連付けテーブルを示す図である。
【００３６】
ステップＳＡ１、ＳＢ１では、システムコントローラ３０は、ＵＳＢコントローラ１８を通じてＵＳＢ−ＨＤＤ６０の接続を検出すると、ＵＳＢ−ＨＤＤ６０との間でエニュメレーションを行う。このエニュメレーションでは、ＵＳＢ−ＨＤＤ６０からＵＳＢコントローラ宛てに、ＵＳＢ−ＨＤＤ６０の特徴を記録したデバイスディスクリプタが送信される。このデバイスディスクリプタには、ＵＳＢ−ＨＤＤ６０のベンダーＩＤや、ＵＳＢ−ＨＤＤ６０のプロダクトＩＤ（製品番号）等が含まれている。
【００３７】
ステップＳＡ２では、システムコントローラ３０は、ＵＳＢコントローラが取得したデバイスディスクリプタから、プロダクトＩＤを取得する。
【００３８】
ステップＳＡ３では、システムコントローラ３０は、ステップＳＡ２で取得したプロダクトＩＤが新規のものであれば、ステップＳＡ４に進む。そして、ステップＳＡ４では、システムコントローラ３０は、取得したプロダクトＩＤを管理するためのラベル名の入力を受付ける。例えば、表示装置５０にＧＵＩ画面を表示させて、プロダクトＩＤを管理するためのラベル名の入力を受付ける。
一方、ステップＳＡ２で取得したプロダクトＩＤが新規のものでなければ（ステップＳＡ３：ＮＯ）、既に、ラベル名が記録されているため、システムコントローラ３０は、処理を終了する。
【００３９】
ステップＳＡ５では、システムコントローラ３０は、コンテンツ情報の要求を行う。コンテンツ情報は、ＵＳＢ−ＨＤＤ６０が記録する管理テーブル（ＨＤＤ１７に記録されたものと同じ形式）の内容（番組データ）を示す。ＵＳＢコントローラ１８は、システムコントローラ３０からコンテンツ情報の要求を受け取ると、ＵＳＢ−ＨＤＤ６０に宛てて、コンテンツ情報を要求する。そのため、ＵＳＢ−ＨＤＤ６０では、ステップＳＢ２において、ＵＳＢコントローラ１８が録画装置１０からのコンテンツ情報の要求を受信すると（ステップＳＢ２）、ステップＳＢ３では、コンテンツ情報を返信する。
【００４０】
ステップＳＡ６では、システムコントローラ３０は、ＵＳＢコントローラ１８を通じて、ＵＳＢ−ＨＤＤ６０から返信されたコンテンツ情報を受信する。
【００４１】
ステップＳＡ７では、システムコントローラ３０は、ステップＳＡ３で記録したラベル名に対応する欄に、ステップＳＡ５で取得したコンテンツ情報を記録して、関連付けテーブル１００を作成する。
【００４２】
図７に示す関連付けテーブル１００には、複数のラベル名（『ＵＳＢ１』『ＵＳＢ２』）ごとに、各ラベル名に関連づけられたコンテンツ情報と、作成日時（更新日時）とが記録されている。ラベル名は、異なるプロダクトＩＤ毎に作成されており、図７では、２つのプロダクトＩＤに対応する関連付けテーブル１００が作成されている。また、図７では、ラベル名『ＵＳＢ１』には、コンテンツ情報として、コンテンツを特定するための番組タイトル『ドラマＡ』が記録されている。
【００４３】
ステップＳＡ８では、システムコントローラ３０は、作成した関連付けテーブル１００を記録する。
【００４４】
次に、判定手段３３が行う判定処理を説明する。
図８は、システムコントローラ３０が実行する判定処理を説明するフローチャートである。この第１の実施形態では、ループ録画の機能により、番組データが自動で削除される場合の処理を示す。
システムコントローラ３０は内蔵するタイマーが予め定められた期間Ｔｉｍ１を経過すると、割込み動作により、図８に示す判定処理を開始する。
【００４５】
ステップＳ２１では、ＨＤＤ１７のループ記録領域における記録可能容量が閾値Ｔ１以上であれば（ステップＳ２１：ＮＯ）、システムコントローラ３０は処理を終了する。ループ記録領域の記録可能容量が閾値Ｔ１以上である場合、ＨＤＤ１７のループ記録領域に記録された番組は削除されないからである。
【００４６】
例えば、閾値Ｔ１は、ＨＤＤ１７（ループ記録領域）に記録されている１つの番組（番組データ）を記録できる情報量をもとに決定される。具体的には、１時間分の長さを備える番組データの情報量をもとに、閾値Ｔ１が決定される。上記構成とすることで、通知手段３４により通知処理が行われてから、ユーザが番組データをダビングするまでの間に新たな番組が録画されても、ループ記録領域のセクタに記録された番組が自動で消去されてしまうのを予防することができる。
【００４７】
一方、ＨＤＤ１７のループ記録領域における記録可能容量が閾値Ｔ１未満であれば（ステップＳ２１：ＹＥＳ）、システムコントローラ３０は、ステップＳ２２に進む。
【００４８】
ステップＳ２２では、システムコントローラ３０は、ループ記録領域のセクタの先頭に記録されている番組の番組タイトルを取得する。ループ録画では、セクタの先頭アドレスに記録されている番組から順に、消去が行われるためである。
【００４９】
ステップＳ２３では、システムコントローラ３０は、ステップＳ２２で取得した番組タイトルが記録されている関連付けテーブル１００を検索する。
【００５０】
関連付けテーブル１００が存在すると（ステップＳ２４：ＹＥＳ）、システムコントローラ３０は、ステップＳ２５に進む。ステップＳ２５では、システムコントローラ３０は、内部レジスタの値を、通知処理を設定するための値に設定する。
【００５１】
次に、通知手段により実行される通知処理を説明する。図９は、表示部２１に表示される通知画面２００を示す図である。図９に示す通知画面２００では、ユーザに通知を行う文字列２０１として、『関連するコンテンツがＵＳＢ１に記録されています。保存する場合は、ＵＳＢ−ＨＤＤを接続してください。』が表示される。また、通知画面２００で表示される外部記憶装置の名称は、関連付けテーブル１００に記録されているラベル名が使用される。
【００５２】
そのため、ユーザは、表示部２１に表示された通知画面２００を確認することで、ＵＳＢ−ＨＤＤ６０に記録された番組データがループ録画の消去対象となっていることを判断することができる。例えば、ユーザは、通知画面２００を確認した場合に、ループ記録領域に記録されている該当する番組データをＵＳＢ−ＨＤＤ６０にダビングする。
【００５３】
以上説明したようにこの第１の実施形態では、録画装置１０は、ＨＤＤ１７（補助記憶装置）と、ＵＳＢ−ＨＤＤ６０（外部記憶装置）とに関連するコンテンツが別々に記録されている場合でも、補助記憶装置に記録されたコンテンツを削除する際、外部記憶装置に関連するコンテンツが記録されていることをユーザに通知することができる。そのため、ユーザは、通知に応じて補助記憶装置に記録されたコンテンツの削除またはダビング等を行うことができる。
また、録画装置１０は、外部記憶装置と接続した際に、第１の情報と第２の情報とを関連づける関連情報を作成するため、録画装置が記録をしていないコンテンツであっても、関連付けを行うことができる。
【００５４】
そして、コンテンツの『タイトル名』、『出演者』、『ジャンル』をもとに番組データの関連付けを行うことで、各条件で関連するコンテンツを外部記憶装置と補助記憶装置に記録している場合でも、本発明を適用することができる。
【００５５】
さらに、録画装置１０がループ録画といった補助記憶装置の割り当てられた領域に繰り返し録画する録画機能を備える場合に、補助記憶装置の録画可能容量をもとに、削除対象となるコンテンツの判断することで、録画装置１０が自動でコンテンツが削除されてしまう録画機能を備える場合でも、録画装置１０が削除対象となるコンテンツの判断を容易に行うことが可能となる。
【００５６】
２．第２の実施形態：
この第２の実施形態では、ユーザが番組データの消去を手動で行う場合に、通知を行う構成が第１の実施形態と比べて異なる。
【００５７】
図１０は、判定手段を説明するフローチャートである。また、図１１は、ユーザが消去する番組を選択するための選択画面３００を示す図である。
【００５８】
表示装置５０に選択画面３００を表示させた状態で、ユーザがリモコン装置を操作して番組タイトルを示すアイコン３０１を選択し、確定キー３０２を選択したとする。システムコントローラ３０は、割込み動作により、確定キー３０２の操作を検出し、図１０に示す判定処理を開始する。
【００５９】
ステップＳ１２１では、ユーザが番組データを消去する確定キー２０２を操作すると（ステップＳ１２１：ＹＥＳ）、システムコントローラ３０は、ステップＳ１２２に進む。
【００６０】
ステップＳ１２２では、システムコントローラ３０は、消去対象となっている番組データの番組タイトルを取得する。図１１に示す例では、システムコントローラ３０は、『ドラマＡ』の番組タイトルを取得する。
【００６１】
ステップＳ１２３では、システムコントローラ３０は、ステップＳ１２２で取得した番組タイトルが記録されている関連付けテーブル１００を検索する。
【００６２】
関連付けテーブル１００が存在すると（ステップＳ１２４：ＹＥＳ）、システムコントローラ３０は、ステップＳ１２５に進む。ステップＳ１２５では、システムコントローラ３０は、内部レジスタの値を、通知処理を設定するための値に設定する。
一方、関連付けテーブル１００が存在しなければ（ステップＳ１２４：ＮＯ）、システムコントローラ３０は処理を終了する。
【００６３】
図１２は、第２の実施形態において、システムコントローラ３０が実行する通知処理を説明するフローチャートである。図１２に示す通知処理は、システムコントローラ３０の内部レジスタにより通知処理が設定されている場合に、通知手段３４が実行する処理である。また、図１３は、表示装置５０に表示される通知画面２００を示す図である。
【００６４】
ステップＳ３１では、システムコントローラ３０は、表示装置５０に通知画面２００を表示させる。番組データの消去をユーザに確認する文字列を表示する。図１３に示す通知画面２００では、ユーザに通知を行う文字列２１１として、『関連するコンテンツがＵＳＢ１に記録されています。コンテンツを消去してもいいですか？』が表示される。また、通知画面２００には、番組データの消去を継続する継続アイコン２１２、番組データの消去をキャンセルするキャンセルアイコン２１３が表示されている。また、通知画面２００で表示される外部記憶装置の名称は、関連付けテーブル１００に記録されているラベル名が使用される。
【００６５】
ユーザが継続アイコン２１２を操作すると（ステップＳ３２：ＹＥＳ）、ステップＳ３３では、システムコントローラ３０は、番組データの消去を継続する。
【００６６】
ユーザがキャンセルアイコン２１３を操作すると（ステップＳ３２：ＮＯ）、ステップＳ３４では、システムコントローラ３０は、番組データの消去をキャンセルする。
【００６７】
以上説明したようにこの第２の実施形態では、ユーザの手動操作によるコンテンツの削除に対しても、本発明を適用することができる。
【００６８】
３．第３の実施形態：
この第３の実施形態では、録画装置１０は、関連付けテーブル１００を所定のタイミングで更新する更新手段を備える構成が他の実施形態と異なる。
【００６９】
図１４は、システムコントローラ３０により実行される関連付けテーブル１００の更新処理を示すフローチャートである。図１４に示す更新処理は、録画装置１０がＵＳＢ−ＨＤＤ６０と接続した際に実行される。
【００７０】
ステップＳＡ４１では、録画装置１０とＵＳＢ−ＨＤＤ６０とは、エニュメレーションを行う。そのため、録画装置１０は、ＵＳＢ−ＨＤＤ６０からデバイスディスクリプタを取得する。
【００７１】
ステップＳＡ４２では、デバイスディスクリプタに記録されたプロダクトＩＤが関連付けテーブル１００に記録されていなければ（ステップＳＡ４２：ＮＯ）、システムコントローラ３０は、関連付け処理を行なう。システムコントローラ３０は、図６に示す関連付け処理を実行する。
【００７２】
デバイスディスクリプタに記録されたプロダクトＩＤが関連付けテーブル１００に記録されていれば（ステップＳＡ４２：ＹＥＳ）、システムコントローラ３０は、ステップＳＡ４３に進む。
【００７３】
ステップＳＡ４３では、関連付けテーブル１００の自動更新が設定されていれば（ステップＳＡ４３：ＹＥＳ）、ステップＳＡ４４に進み、システムコントローラ３０は、ＵＳＢ−ＨＤＤ６０にコンテンツ情報を要求する。
そのため、ＵＳＢ−ＨＤＤ６０のＵＳＢコントローラ６１は要求を受信すると、コンテンツ情報を返信する。
一方、関連付けテーブル１００の自動更新が設定されていなければ（ステップＳＡ４３：ＮＯ）、システムコントローラ３０は処理を終了する。
【００７４】
ステップＳＡ４５では、システムコントローラ３０は、ＵＳＢ−ＨＤＤ６０から返信されたコンテンツ情報を受信する。そして、コンテンツ情報と、関連付けテーブル１００に記録したコンテンツ情報とが一致しない場合（ステップＳＡ４６：ＹＥＳ）、システムコントローラ３０は、ステップＳＡ４７に進む。
【００７５】
ステップＳＡ４７では、システムコントローラ３０は、関連付けテーブル１００の内容を更新する。すなわち、関連付けテーブル１００に記録されたコンテンツ情報が、ＵＳＢ−ＨＤＤ６０から返信されたコンテンツ情報に応じて更新される。以後、システムコントローラ３０は、更新された関連付けテーブル１００をもとに、判定処理、通知処理を行なう。
【００７６】
一方、コンテンツ情報と、関連付けテーブル１００に記録したコンテンツ情報とが一致すれば（ステップＳＡ４６：ＮＯ）、システムコントローラ３０は、処理を終了する。
【００７７】
以上説明したように、この第３の実施形態では、他の実施形態に加えて以下の効果を奏する。すなわち、録画装置１０が関連付けテーブル１００（関連情報）を更新する機能を備えることで、ＵＳＢ−ＨＤＤ６０に記録されているコンテンツ（番組データ）が他の装置により変更されても、内容を反映させることがでるため、精度良く本発明を適用することができる。
【００７８】
４．その他の実施形態：
補助記憶装置は、ＨＤＤ以外にも、フラッシュメモリや、ＳＤメモリ等の半導体メモリを用いるものであってもよい。
外部記憶装置は、ＵＳＢ−ＨＤＤ以外にも、録画装置１０と着脱可能に接続できる補助記憶装置であれば、どのようなものであってもよい。
【００７９】
なお、本明細書中で使われる用語は以下の意味で使用する。
補助記憶装置とは、録画装置が備える主記憶装置（ＲＯＭ、ＲＡＭ）以外の記憶装置を示す。磁気記憶型、半導体記憶型、光記憶型のいずれの補助記憶装置をも含む意味で用いられる。
外部記憶装置とは、録画装置と着脱可能（リムーバブル）に接続することができる補助記憶装置を意味する。上記した補助記憶装置に加えて、録画装置とネットワークにより接続するサーバーも含む意味で用いる。
コンテンツとは、情報の中身の内、テレビジョン放送を介して提供される放送番組（サービス）の情報や、インターネットを介したサービスによって提供されるサービスの情報を含む概念である。
接続したとは、録画装置と外部記憶装置との間でデータのアクセスが可能な状態におかれたことを言う。
関連づけるとは、第１の情報から第２の情報を特定できるようにすること、または、第２の情報から第１の情報を特定できるようにすることを意味する。
通知とは、文字や画像を用いて、ユーザに視覚によって知らせることのみならず、音声を用いてユーザの聴覚によって知らせることも含む。
【００８０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。 
【符号の説明】
【００８１】
１０…録画装置、１１…チューナー部、１２…エンコーダー、１３…デコーダー、１４…ビデオメモリ、１５…ＡＶコンバーター、１６…メモリコントローラ、１７…ＨＤＤ、１８…ＵＳＢコントローラ、１９…ＧＵＩ合成部、２０…バス、２１…表示部、２２…リモコン受信部、３０…システムコントローラ、３１…録画手段、３２…関連付け手段、３３…判定手段、３４…通知手段、４０…管理テーブル、５０…表示装置、６０…ＵＳＢ−ＨＤＤ、６１…ＵＳＢコントローラ、６２…磁気記録部、１００…関連付けテーブル
【図１】
2015226124.tif 000003
【図２】
2015226124.tif 000004
【図３】
2015226124.tif 000005
【図４】
2015226124.tif 000006
【図５】
2015226124.tif 000007
【図６】
2015226124.tif 000008
【図７】
2015226124.tif 000009
【図８】
2015226124.tif 000010
【図９】
2015226124.tif 000011
【図１０】
2015226124.tif 000012
【図１１】
2015226124.tif 000013
【図１２】
2015226124.tif 000014
【図１３】
2015226124.tif 000015
【図１４】
2015226124.tif 000016